(57)【要約】      （修正有）【課題】歯科用作業模型を片手でワンタッチで装着することができる歯科用作業模型の保持機構を提供する。【解決手段】支持基台２０を備えた歯科用作業模型と、咬合器側に設けられた模型ホルダ１２とから構成された歯科用作業模型の保持機構。支持基台２０は、基台側上壁２８、基台側上壁２８の外周部から下方に延びる基台側周側壁３０及び基台側上壁２８から下方に延びる基台側円筒状部７０を有し、模型ホルダ１２は、ホルダ側上壁７６、ホルダ側上壁７６から下方に延びるホルダ側周側壁７８及びホルダ側上壁７６から上方に延びるホルダ側中空円筒状部８０を有する。また、支持基台２０の基台側周側壁３０の内面には、内側に突出する一対の基台側内突部７２が設けられ、模型ホルダ１２には、一対の基台側内突部７２に対応して、外側に突出する一対のホルダ側外突部８２が設けられている。【選択図】図３
2019097734.tif 000002
【特許請求の範囲】
【請求項１】
歯形模型が固定される固定用プレート及び前記固定用プレートを支持するための支持基台を備えた歯科用作業模型と、前記歯科用作業模型を保持するために咬合器側に設けられた模型ホルダとから構成された歯科用作業模型の保持機構において、
前記歯形模型は部分タイプであり、このことに関連して、前記支持基台は、前記固定用プレートを支持するための支持領域を有する基台側上壁と、前記基台側上壁の外周部から下方に延びる基台側周側壁と、前記基台側上壁から下方に延びる基台側円筒状部又は基台側中空円筒状部とを有し、前記模型ホルダは、前記歯科用作業模型の前記支持基台を支持するホルダ側上壁と、前記ホルダ側上壁の外周部から下方に延びるホルダ側周側壁と、前記ホルダ側上壁から上方に延びるホルダ側中空円筒状部又はホルダ側円筒状部とを有しており、
更に、前記支持基台の前記基台側周側壁の内面には、内側に向けて突出する少なくとも２つの基台側内突部が設けられているとともに、前記模型ホルダには、前記少なくとも２つの基台側内突部に対応して、外側に向けて突出する少なくとも２つのホルダ側外突部が設けられており、
前記支持基台を前記模型ホルダに装着するときには、記支持基台の前記基台側円筒状部又は前記基台側中空円筒状部と前記模型ホルダの前記ホルダ側中空円筒状部又は前記ホルダ側円筒状部とが回動自在に装着され、この装着状態において前記支持基台を装着方向に回動して装着保持状態にすると、前記支持基台側の前記少なくとも２つの基台側内突部が前記模型ホルダの前記少なくとも２つのホルダ側外突部の下側に位置し、これにより、前記支持基台が前記模型ホルダの前記ホルダ側上壁の上面に押圧保持されることを特徴とする歯科用作業模型の保持機構。
【請求項２】
前記支持基台の前記支持領域及び前記固定用プレートはそれぞれ横長に形成され、前記支持基台における前記基台側周側壁の両端部内部に一対の基台側内突部が設けられ、前記模型ホルダにおける前記ホルダ側上壁の両端部に一対のホルダ側外突部が設けられ、前記一対のホルダ側外突部はそれぞれ上方に延びる突部本体と、前記突部本体から外側に向けて延びる押圧作用部とを備え、前記装着保持状態においては、前記支持基台側の前記一対の基台側内突部が前記模型ホルダ側の前記一対のホルダ側外突部の前記押圧作用部の下側に位置付けられることを特徴とする請求項１に記載の歯科用作業模型の保持機構。
【請求項３】
前記模型ホルダに対して前記支持基台を前記装着保持状態にロック保持するためのロック保持手段が設けられ、前記ロック保持手段は、前記支持基台の前記基台側円筒状部の外周面に設けられたロック係合突部と前記模型ホルダの前記ホルダ側中空円筒状部の内周面に設けられたロック係合凹部とから構成されていることを特徴とする請求項１又は２に記載の歯科用作業模型の保持機構。
【請求項４】
歯形模型が固定される固定用プレート及び前記固定用プレートを支持する支持基台を備えた歯科用作業模型と、前記支持基台を保持するために咬合器側に設けられた模型ホルダとから構成された歯科用作業模型の保持機構において、
前記歯形模型は全顎タイプであり、このことに関連して、前記支持基台は、前記固定用プレートを支持するための支持領域を有する基台側上壁と、前記基台側上壁の外周部から下方に延びる基台側周側壁と、前記基台側周側壁の内側壁部を接続する接続壁部と、前記接続壁部から下方に延びる基台側中空円筒状部とを有し、前記模型ホルダは、前記支持基台を支持するホルダ側上壁と、前記ホルダ側上壁の外周部から下方に延びるホルダ側周側壁と、前記ホルダ側上壁から上方に延びるホルダ側円筒状部とを有しており、
更に、前記支持基台の前記基台側中空円筒状部には、内側に向けて突出する少なくとも２つの基台側内突部が設けられているとともに、前記模型ホルダの前記ホルダ側円筒状部には、前記少なくとも２つの基台側内突部に対応して、外側に向けて突出する少なくとも２つのホルダ側外突部が設けられており、
前記支持基台を前記模型ホルダに装着するときには、記支持基台の前記基台側中空円筒状部と前記模型ホルダの前記ホルダ側円筒状部とが回動自在に装着され、この装着状態において前記支持基台を装着方向に回動して装着保持状態にすると、前記支持基台側の前記少なくとも２つの基台側内突部が前記模型ホルダの前記少なくとも２つのホルダ側外突部の下側に位置し、これにより、前記支持基台が前記模型ホルダの前記ホルダ側上壁の上面に押圧保持されることを特徴とする歯科用作業模型の保持機構。
【請求項５】
前記支持基台の前記支持領域及び前記固定用プレートはそれぞれＵ字状に形成され、前記支持基台の前記基台側周側壁の前記内側壁部はＵ字状であり、前記接続壁部は前記内側壁部を接続し、前記支持基台における前記基台側中空円筒状部の内周面に一対の基台側内突部が設けられ、前記模型ホルダにおける前記ホルダ側円筒状部の外周面に一対のホルダ側外突部が設けられ、前記装着保持状態においては、前記支持基台側の前記一対の基台側内突部が前記模型ホルダ側の前記一対のホルダ側外突部の下側に位置付けられることを特徴とする請求項４に記載の歯科用作業模型の保持機構。
【請求項６】
前記支持基台側における前記基台側中空円筒状部の前記一対の基台側内突部の一端部又は前記模型ホルダ側における前記ホルダ側円筒状部の前記一対のホルダ側外突部の一端部には当接部が設けられ、前記支持基台を取付角度位置まで回動すると、前記ホルダ側円筒状部の前記一対のホルダ側外突部又は前記基台側中空円筒状部の前記一対の基台側内突部が前記一対の基台側内突部又は前記一対のホルダ側外突部の前記当接部に当接することを特徴とする請求項５に記載の歯科用作業模型の保持機構。
【請求項７】
歯形模型が固定される固定用プレート及び前記固定用プレートを支持する支持基台を備えた歯科用作業模型と、前記支持基台を保持するために咬合器側に設けられた模型ホルダとから構成された歯科用作業模型の保持機構において、
前記歯形模型は全顎タイプであり、このことに関連して、前記支持基台は、前記固定用プレートを支持するための支持領域を有する基台側上壁と、前記基台側上壁の外周部から下方に延びる基台側周側壁と、前記基台側周側壁の内側壁部を接続する接続壁部と、前記接続壁部から下方に延びる基台側円筒状部とを有し、前記模型ホルダは、前記支持基台を支持するホルダ側上壁と、前記ホルダ側上壁の外周部から下方に延びるホルダ側周側壁と、前記ホルダ側上壁から上方に延びるホルダ側中空円筒状部とを有しており、
更に、前記支持基台の前記基台側円筒状部には、外側に向けて突出する少なくとも２つの基台側外突部が設けられているとともに、前記模型ホルダには、前記少なくとも２つの基台側外突部に対応して、内側に向けて突出する少なくとも２つのホルダ側内突部が設けられており、
前記支持基台を前記模型ホルダに装着するときには、記支持基台の前記基台側円筒状部と前記模型ホルダの前記ホルダ側中空円筒状部とが回動自在に装着され、この装着状態において前記支持基台を装着方向に回動して装着保持状態にすると、前記支持基台側の前記少なくとも２つの基台側外突部が前記模型ホルダの前記少なくとも２つのホルダ側内突部の下側に位置し、これにより、前記支持基台が前記模型ホルダの前記ホルダ側上壁の上面に押圧保持されることを特徴とする歯科用作業模型の保持機構。
【請求項８】
前記支持基台の前記支持領域及び前記固定用プレートはそれぞれＵ字状に形成され、前記支持基台の前記基台側周側壁の前記内側壁部はＵ字状であり、前記接続壁部は前記内側壁部を接続し、前記支持基台における前記基台側円筒状部の外周面に一対の基台側外突部が設けられ、前記模型ホルダにおける前記ホルダ側中空円筒状部の内周面に一対のホルダ側内突部が設けられ、前記装着保持状態においては、前記支持基台側の前記一対の基台側外突部が前記模型ホルダ側の前記一対のホルダ側内突部の下側に位置付けられることを特徴とする請求項７に記載の歯科用作業模型の保持機構。
【請求項９】
前記模型ホルダ側における前記ホルダ側中空円筒状部の前記一対のホルダ側内突部の一端部又は前記支持基台側における前記基台側円筒状部の前記一対の基台側外突部の一端部には当接部が設けられ、前記支持基台を取付角度位置まで回動すると、前記基台側円筒状部の前記一対の基台側外突部又は前記ホルダ側中空円筒状部の前記一対のホルダ側内突部が前記一対のホルダ側内突部又は前記一対の基台側外突部の前記当接部に当接することを特徴とする請求項８に記載の歯科用作業模型の保持機構。
【発明の詳細な説明】
【技術分野】
【０００１】
本発明は、歯科治療などにおいて用いられる歯科用作業模型を咬合器に取り付けるための保持機構に関する。
【背景技術】
【０００２】
歯科用作業模型から歯科補綴物を製作するために咬合器が用いられている（例えば、特許文献１参照）。この咬合器は、歯科用作業模型が載置される固定用プレートと、固定用プレートの一端部に設けられた片側保持壁と、この固定用プレートの他端部に配設された他側保持壁とを備えている。固定用プレートの他端部には、上側プレート及び下側プレートが移動自在に配設され、この上側プレートを通して下側プレートに固定ねじが螺着され、他側保持壁が上側プレートに装着されている。また、片側保持壁には、他側保持壁に向けて突出する片側係止凸部が設けられ、他側保持壁には、片側保持壁に向けて突出する他側係止凸部が設けられている。
【０００３】
咬合器側のこのような構成に関連して、歯科用作業模型の基台の一端部には、咬合器側の片側係止凸部に対応して片側係止凹部が設けられ、その他端部には、咬合器側の他側係止凸部に対応して他側係止凹部が設けられている。
【０００４】
この咬合器に歯科用作業模型を装着するときには、咬合器側の固定ねじを緩めて上側プレート及び下側プレートを移動自在にし、この状態にて歯科用作業模型側の基台の片側係止凹部を咬合器側の片側保持壁の片側係止凸部に装着し、更に固定ねじを介して上側プレート及び下プレートを移動させてこの基台の他側係止凹部に他側保持壁の他側係止凸部を挿入した後に、この固定ねじを締め付けて固定する。このような装着状態においては、歯科用作業模型の一端側においては片側係止凹部が咬合器側の片側保持壁の片側係止凸部に係止され、その他端側においては他側係止凹部が咬合器側の他側保持壁の他側係止凸部に係止され、これにより、歯科用作業模型を咬合器に着脱自在に固定することができる。
【先行技術文献】
【特許文献】
【０００５】
【特許文献１】特開２００６−２５５３９１号公報
【発明の概要】
【発明が解決しようとする課題】
【０００６】
しかしながら、上述した咬合器を用いた歯科用作業模型の保持機構では、次の通りの問題がある。即ち、歯科用作業模型を咬合器に取り付けるときに、咬合器側の固定ねじを緩め、歯科用作業模型側の基台の片側係止凹部を咬合器側の片側保持壁の片側係止凸部に装着し、上側プレート及び下プレートを移動させてこの基台の他側係止凹部に他側保持壁の他側係止凸部を挿入し、しかる後に、この固定ねじを締め付けて固定するようになる。従って、このような歯科用作業模型の取付作業では、その取付作業を両手で行う必要があり、またこの歯科用作業模型を取り付けるための取付工程も多く、この取付作業が煩雑であるとの問題がある。
【０００７】
本発明の目的は、歯科用作業模型を片手でワンタッチで装着することができる歯科用作業模型の保持機構を提供することである。
【課題を解決するための手段】
【０００８】
本発明の請求項１に記載の歯科用作業模型の保持機構は、歯形模型が固定される固定用プレート及び前記固定用プレートを支持するための支持基台を備えた歯科用作業模型と、前記歯科用作業模型を保持するために咬合器側に設けられた模型ホルダとから構成された歯科用作業模型の保持機構において、
前記歯形模型は部分タイプであり、このことに関連して、前記支持基台は、前記固定用プレートを支持するための支持領域を有する基台側上壁と、前記基台側上壁の外周部から下方に延びる基台側周側壁と、前記基台側上壁から下方に延びる基台側円筒状部又は基台側中空円筒状部とを有し、前記模型ホルダは、前記歯科用作業模型の前記支持基台を支持するホルダ側上壁と、前記ホルダ側上壁の外周部から下方に延びるホルダ側周側壁と、前記ホルダ側上壁から上方に延びるホルダ側中空円筒状部又はホルダ側円筒状部とを有しており、
更に、前記支持基台の前記周側壁の内周面には、内側に向けて突出する少なくとも２つの基台側内突部が設けられているとともに、前記模型ホルダには、前記少なくとも２つの基台側内突部に対応して、外側に向けて突出する少なくとも２つのホルダ側外突部が設けられており、
前記支持基台を前記模型ホルダに装着するときには、記支持基台の前記基台側円筒状部又は前記基台側中空円筒状部と前記模型ホルダの前記ホルダ側中空円筒状部又は前記ホルダ側円筒状部とが回動自在に装着され、この装着状態において前記支持基台を装着方向に回動して装着保持状態にすると、前記支持基台側の前記少なくとも２つの基台側内突部が前記模型ホルダの前記少なくとも２つのホルダ側外突部の下側に位置し、これにより、前記支持基台が前記模型ホルダの前記ホルダ側上壁の上面に押圧保持されることを特徴とする。
【０００９】
また、本発明の請求項２に記載の歯科用作業模型の保持機構では、前記支持基台の前記支持領域及び前記固定用プレートはそれぞれ横長に形成され、前記支持基台における前記基台側周側壁の両端部内部に一対の基台側内突部が設けられ、前記模型ホルダにおける前記ホルダ側上壁の両端部に一対のホルダ側外突部が設けられ、前記一対のホルダ側外突部はそれぞれ上方に延びる突部本体と、前記突部本体から外側に向けて延びる押圧作用部とを備え、前記装着保持状態においては、前記支持基台側の前記一対の基台側内突部が前記模型ホルダ側の前記一対のホルダ側外突部の前記押圧作用部の下側に位置付けられることを特徴とする。
【００１０】
また、本発明の請求項３に記載の歯科用作業模型の保持機構では、前記模型ホルダに対して前記支持基台を前記装着保持状態にロック保持するためのロック保持手段が設けられ、前記ロック保持手段は、前記支持基台の前記基台側円筒状部の外周面に設けられたロック係合突部と前記模型ホルダの前記ホルダ側中空円筒状部の内周面に設けられたロック係合凹部とから構成されていることを特徴とする。
【００１１】
また、本発明の請求項４に記載の歯科用作業模型の保持機構は、歯形模型が固定される固定用プレート及び前記固定用プレートを支持する支持基台を備えた歯科用作業模型と、前記支持基台を保持するために咬合器側に設けられた模型ホルダとから構成された歯科用作業模型の保持機構において、
前記歯形模型は全顎タイプであり、このことに関連して、前記支持基台は、前記固定用プレートを支持するための支持領域を有する基台側上壁と、前記基台側上壁の外周部から下方に延びる基台側周側壁と、前記基台側周側壁の内側壁部を接続する接続壁部と、前記接続壁部から下方に延びる基台側中空円筒状部とを有し、前記模型ホルダは、前記支持基台を支持するホルダ側上壁と、前記ホルダ側上壁の外周部から下方に延びるホルダ側周側壁と、前記ホルダ側上壁から上方に延びるホルダ側円筒状部とを有しており、
更に、前記支持基台の前記基台側中空円筒状部には、内側に向けて突出する少なくとも２つの基台側内突部が設けられているとともに、前記模型ホルダの前記ホルダ側円筒状部には、前記少なくとも２つの基台側内突部に対応して、外側に向けて突出する少なくとも２つのホルダ側外突部が設けられており、
前記支持基台を前記模型ホルダに装着するときには、記支持基台の前記基台側中空円筒状部と前記模型ホルダの前記ホルダ側円筒状部とが回動自在に装着され、この装着状態において前記支持基台を装着方向に回動して装着保持状態にすると、前記支持基台側の前記少なくとも２つの基台側内突部が前記模型ホルダの前記少なくとも２つのホルダ側外突部の下側に位置し、これにより、前記支持基台が前記模型ホルダの前記ホルダ側上壁の上面に押圧保持されることを特徴とする。
【００１２】
また、本発明の請求項５に記載の歯科用作業模型の保持機構では、前記支持基台の前記支持領域及び前記固定用プレートはそれぞれＵ字状に形成され、前記支持基台の前記基台側周側壁の前記内側壁部はＵ字状であり、前記接続壁部は前記内側壁部を接続し、前記支持基台における前記基台側中空円筒状部の内周面に一対の基台側内突部が設けられ、前記模型ホルダにおける前記ホルダ側円筒状部の外周面に一対のホルダ側外突部が設けられ、前記装着保持状態においては、前記支持基台側の前記一対の基台側内突部が前記模型ホルダ側の前記一対のホルダ側外突部の下側に位置付けられることを特徴とする。
【００１３】
また、本発明の請求項６に記載の歯科用作業模型の保持機構では、前記支持基台側における前記基台側中空円筒状部の前記一対の基台側内突部の一端部又は前記模型ホルダ側における前記ホルダ側円筒状部の前記一対のホルダ側外突部の一端部には当接部が設けられ、前記支持基台を取付角度位置まで回動すると、前記ホルダ側円筒状部の前記一対のホルダ側外突部又は前記基台側中空円筒状部の前記一対の基台側内突部が前記一対の基台側内突部又は前記一対のホルダ側外突部の前記当接部に当接することを特徴とする。
【００１４】
また、本発明の請求項７に記載の歯科用作業模型の保持機構は、歯形模型が固定される固定用プレート及び前記固定用プレートを支持する支持基台を備えた歯科用作業模型と、前記支持基台を保持するために咬合器側に設けられた模型ホルダとから構成された歯科用作業模型の保持機構において、
前記歯形模型は全顎タイプであり、このことに関連して、前記支持基台は、前記固定用プレートを支持するための支持領域を有する基台側上壁と、前記基台側上壁の外周部から下方に延びる基台側周側壁と、前記基台側周側壁の内側壁部を接続する接続壁部と、前記接続壁部から下方に延びる基台側円筒状部とを有し、前記模型ホルダは、前記支持基台を支持するホルダ側上壁と、前記ホルダ側上壁の外周部から下方に延びるホルダ側周側壁と、前記ホルダ側上壁から上方に延びるホルダ側中空円筒状部とを有しており、
更に、前記支持基台の前記基台側円筒状部には、外側に向けて突出する少なくとも２つの基台側外突部が設けられているとともに、前記模型ホルダには、前記少なくとも２つの基台側外突部に対応して、内側に向けて突出する少なくとも２つのホルダ側内突部が設けられており、
前記支持基台を前記模型ホルダに装着するときには、記支持基台の前記基台側円筒状部と前記模型ホルダの前記ホルダ側中空円筒状部とが回動自在に装着され、この装着状態において前記支持基台を装着方向に回動して装着保持状態にすると、前記支持基台側の前記少なくとも２つの基台側外突部が前記模型ホルダの前記少なくとも２つのホルダ側内突部の下側に位置し、これにより、前記支持基台が前記模型ホルダの前記ホルダ側上壁の上面に押圧保持されることを特徴とする。
【００１５】
また、本発明の請求項８に記載の歯科用作業模型の保持機構では、前記支持基台の前記支持領域及び前記固定用プレートはそれぞれＵ字状に形成され、前記支持基台の前記基台側周側壁の前記内側壁部はＵ字状であり、前記接続壁部は前記内側壁部を接続し、前記支持基台における前記基台側円筒状部の外周面に一対の基台側外突部が設けられ、前記模型ホルダにおける前記ホルダ側中空円筒状部の内周面に一対のホルダ側内突部が設けられ、前記装着保持状態においては、前記支持基台側の前記一対の基台側外突部が前記模型ホルダ側の前記一対のホルダ側内突部の下側に位置付けられることを特徴とする。
【００１６】
また、本発明の請求項９に記載の歯科用作業模型の保持機構では、前記模型ホルダ側における前記ホルダ側中空円筒状部の前記一対のホルダ側内突部の一端部又は前記支持基台側における前記基台側円筒状部の前記一対の基台側外突部の一端部には当接部が設けられ、前記支持基台を取付角度位置まで回動すると、前記基台側円筒状部の前記一対の基台側外突部又は前記ホルダ側中空円筒状部の前記一対のホルダ側内突部が前記一対のホルダ側内突部又は前記一対の基台側外突部の前記当接部に当接することを特徴とする。
【発明の効果】
【００１７】
本発明の請求項１に記載の歯科用作業模型の保持機構によれば、歯科用作業模型側の支持基台は、支持領域を有する基台側上壁と、この基台側上壁の外周部から下方に延びる基台側周側壁と、基台側上壁から下方に延びる基台側円筒状部（又は基台側中空円筒状部）とを有し、咬合器側の模型ホルダは、支持基台を支持するホルダ側上壁と、ホルダ側上壁の外周部から下方に延びるホルダ側周側壁と、ホルダ側上壁から上方に延びるホルダ側中空円筒状部（又はホルダ側円筒状部）とを有しているので、支持基台を模型ホルダに装着すると、支持基台の基台側円筒状部（又は基台側中空円筒状部）と模型ホルダのホルダ側中空円筒状部（又はホルダ側円筒状部）とが装着されて支持基台が模型ホルダに回動自在に支持される。
【００１８】
また、支持基台の周側壁の内周面には、内側に向けて突出する少なくとも２つの基台側内突部が設けられているとともに、模型ホルダには、少なくとも２つの基台側内突部に対応して、外側に向けて突出する少なくとも２つのホルダ側外突部が設けられているので、上述した装着状態において支持基台を装着方向に回動して装着保持状態にすると、支持基台側の少なくとも２つの基台側内突部が模型ホルダの少なくとも２つのホルダ側外突部の下側に位置し、これにより、支持基台が模型ホルダのホルダ側上壁の上面に確実に押圧保持され、かくして、部分タイプの歯科用作業模型において、その支持基台を上方から装着して装着方向に回動するという簡単な操作でもって、片手でワンタッチで取り付けることができる。
【００１９】
また、本発明の請求項２に記載の歯科用作業模型の保持機構によれば、支持基台における基台側周側壁の両端部内部に一対の基台側内突部が設けられ、模型ホルダにおけるホルダ側上壁の両端部に一対のホルダ側外突部が設けられ、一対のホルダ側外突部はそれぞれ上方に延びる突部本体と、突部本体から外側に向けて延びる押圧作用部とを備えているので、装着保持状態においては、支持基台側の一対の基台側内突部が模型ホルダ側の一対のホルダ側外突部の押圧作用部の下側に位置付けられ、かくして、支持基台の両端部を模型ホルダのホルダ側上壁の両端部に確実に押圧保持することができる。
【００２０】
また、本発明の請求項３に記載の歯科用作業模型の保持機構によれば、ロック保持手段が支持基台の基台側円筒状部の外周面に設けられたロック係合突部と模型ホルダのホルダ側中空円筒状部の内周面に設けられたロック係合凹部とから構成されているので、支持基台を装着保持状態にすると、基台側円筒状部のロック係合突部とホルダ側中空円筒状部のロック係合凹部とが係合し、支持基台をロック保持状態に確実に保持することができる。
【００２１】
また、本発明の請求項４に記載の歯科用作業模型の保持機構によれば、歯科用作業模型の支持基台は、支持領域を有する基台側上壁と、基台側上壁の外周部から下方に延びる基台側周側壁と、基台側周側壁の内側壁部を接続する接続壁部と、接続壁部から下方に延びる基台側中空円筒状部とを有し、咬合器側の模型ホルダは、支持基台を支持するホルダ側上壁と、ホルダ側上壁の外周部から下方に延びるホルダ側周側壁と、ホルダ側上壁から上方に延びるホルダ側円筒状部とを有しているので、支持基台を模型ホルダに装着すると、支持基台の基台側中空円筒状部と模型ホルダのホルダ側円筒状部とが装着され、支持基台が模型ホルダに回動自在に支持される。
【００２２】
また、支持基台の基台側中空円筒状部には、内側に向けて突出する少なくとも２つの基台側内突部が設けられているとともに、模型ホルダのホルダ側円筒状部には、外側に向けて突出する少なくとも２つのホルダ側外突部が設けられているので、この装着状態において支持基台を装着方向に回動して装着保持状態にすると、支持基台側の少なくとも２つの基台側内突部が模型ホルダの少なくとも２つのホルダ側外突部の下側に位置し、これにより、支持基台が模型ホルダのホルダ側上壁の上面に確実に押圧保持され、かくして、全顎タイプの歯科用作業模型（支持基台）においても、その支持基台を上方から装着して装着方向に回動するという簡単な操作でもって、片手でワンタッチで取り付けることができる。
【００２３】
また、本発明の請求項５に記載の歯科用作業模型の保持機構によれば、支持基台の基台側周側壁の内側壁部を接続する接続壁部に基台側中空円筒状部が設けられ、この基台側中空円筒状部の内周面に一対の基台側内突部が設けられ、模型ホルダにおけるホルダ側円筒状部の外周面に一対のホルダ側外突部が設けられているので、支持基台を模型ホルダに所要の通りに取り付けた装着保持状態においては、支持基台側の一対の基台側内突部が模型ホルダ側の一対のホルダ側外突部の下側に位置付けられ、かくして、支持基台を模型ホルダのホルダ側上壁の上面に確実に押圧保持することができる。
【００２４】
また、本発明の請求項６に記載の歯科用作業模型の保持機構によれば、支持基台側における基台側中空円筒状部の一対の基台側内突部の一端部（又は模型ホルダ側におけるホルダ側円筒状部の一対のホルダ側外突部の一端部）には当接部が設けられているので、支持基台を取付角度位置まで回動すると、ホルダ側円筒状部の一対のホルダ側外突部（又は基台側中空円筒状部の一対の基台側内突部）が一対の基台側内突部（又は一対のホルダ側外突部）の当接部に当接し、これにより、支持基台をこの取付角度位置に確実に保持することができる。
【００２５】
また、本発明の請求項７に記載の歯科用作業模型の保持機構によれば、歯科用作業模型の支持基台は、支持領域を有する基台側上壁と、基台側上壁の外周部から下方に延びる基台側周側壁と、基台側周側壁の内側壁部を接続する接続壁部と、接続壁部から下方に延びる基台側円筒状部とを有し、咬合器側の模型ホルダは、支持基台を支持するホルダ側上壁と、ホルダ側上壁の外周部から下方に延びるホルダ側周側壁と、ホルダ側上壁から上方に延びるホルダ側中空円筒状部とを有しているので、支持基台を模型ホルダに装着すると、支持基台の基台側円筒状部と模型ホルダのホルダ側中空円筒状部とが装着され、支持基台が模型ホルダに回動自在に支持される。
【００２６】
また、支持基台の基台側円筒状部には、外側に向けて突出する少なくとも２つの基台側外突部が設けられているとともに、模型ホルダのホルダ側中空円筒状部には、内側に向けて突出する少なくとも２つのホルダ側内突部が設けられているので、この装着状態において支持基台を装着方向に回動して装着保持状態にすると、支持基台側の少なくとも２つの基台側外突部が模型ホルダの少なくとも２つのホルダ側内突部の下側に位置し、かくして、支持基台が模型ホルダのホルダ側上壁の上面に確実に押圧保持され、かくして、このような歯科用作業模型（支持基台）においても、その支持基台を上方から装着して装着方向に回動するという簡単な操作でもって、片手でワンタッチで取り付けることができる。
【００２７】
また、本発明の請求項８に記載の歯科用作業模型の保持機構によれば、支持基台の基台側周側壁の内側壁部を接続する接続壁部に基台側円筒状部が設けられ、この基台側円筒状部の外周面に一対の基台側外突部が設けられ、模型ホルダにおけるホルダ側中空円筒状部の内周面に一対のホルダ側内突部が設けられているので、支持基台を模型ホルダに所要の通りに取り付けた装着保持状態においては、支持基台側の一対の基台側外突部が模型ホルダ側の一対のホルダ側内突部の下側に位置付けられ、かくして、支持基台を模型ホルダのホルダ側上壁の上面に確実に押圧保持することができる。
【００２８】
更に、本発明の請求項９に記載の歯科用作業模型の保持機構によれば、支持基台側における基台側円筒状部の一対の基台側外突部の一端部（又は模型ホルダ側におけるホルダ側中空円筒状部の一対のホルダ側内突部の一端部）には当接部が設けられているので、支持基台を取付角度位置まで回動すると、ホルダ側中空円筒状部の一対のホルダ側内突部（又は基台側円筒状部の一対の基台側外突部）が一対の基台側外突部（又は一対のホルダ側内突部）の当接部に当接し、これにより、支持基台をこの取付角度位置に確実に保持することができる。
【図面の簡単な説明】
【００２９】
【図１】本発明に従う歯科用作業模型の保持機構の第１の実施形態を備えた咬合器の一例を示す側面図。
【図２】図１の咬合器における模型ホルダに歯科用作業模型の支持基台を装着した状態を示す平面図。
【図３】図２におけるＩＩＩ−ＩＩＩ線による断面図。
【図４】図２におけるＩＶ−ＩＶ線による断面図。
【図５】図２における歯科用作業模型の支持基台を上方側から見た斜視図。
【図６】図６の支持基台を底面側から見た斜視図。
【図７】図２における模型ホルダを示す斜視図。
【図８】本発明に従う歯科用作業模型の保持機構の第２の実施形態を備えた咬合器の他の例を示す側面図。
【図９】図８の咬合器における模型ホルダに歯科用作業模型を装着した状態を示す平面図。
【図１０】図９におけるＸ−Ｘ線による断面図。
【図１１】図８における歯科用作業模型の支持基台を底面側から見た斜視図。
【図１２】図８における模型ホルダを上方から見た斜視図。
【図１３】歯科用作業模型の保持機構の変形形態を示す断面図。
【発明を実施するための形態】
【００３０】
以下、添付図面を参照して、本発明に従う歯科技工用作業模型の保持機構の各種実施形態について説明する。
【００３１】
〈第１の実施形態〉
まず、図１〜図７を参照して、歯科用作業模型の保持機構の第１の実施形態を備えた咬合器の一例について説明する。図１において、図示の咬合器２は、相互に回動自在に装着された下取付枠４及び上取付枠６を備え、この下取付枠４に下側の模型ホルダ取付体８が取り付けられ、上取付枠６に上側の模型ホルダ取付体１０が取り付けられる。そして、下側の模型ホルダ取付体８に下側の模型ホルダ１２が取り付けられ、この下側の模型ホルダ１２に下側の歯科用作業模型１４が後述する如く取り付けられる。また、上側の模型ホルダ取付体１０には上側の模型ホルダ１６が取り付けられ、この上側の模型ホルダ１６に上側の歯科用作業模型１８が取り付けられる。下側の模型ホルダ取付体８及び下側の模型ホルダ１２と上側の模型ホルダ取付体１０及び上側の模型ホルダ１４とは実質上同一の構成でよく、また下側の模型ホルダ１２への下側の歯科用作業模型１４の保持機構と上側の模型ホルダ１６への上側の歯科用作業模型の保持機構とは実質上同一の構成でよく、以下、下側の模型ホルダ１２などの構成について説明する。この説明では、「下側」の構成要素と上側の構成要素が実質上同一である故に、単に、「模型ホルダ」などと「下側」及び「上側」を省略して説明する。
【００３２】
尚、この実施形態では、下取付枠４に下側の模型ホルダ取付体８を介して下側の模型ホルダ１２を取り付けているが、この模型ホルダ取付体８を省略し、下側の模型ホルダ１２を下取付枠４に直接的に取り付けるようにしてもよい。また、上取付枠６に上側の模型ホルダ取付体１０を介して上側の模型ホルダ１４を取り付けているが、この模型ホルダ取付体１０を省略し、上側の模型ホルダ１４を上取付枠８に直接的に取り付けるようにしてもよい。
【００３３】
図２〜図４を参照して、図示の歯科用作業模型１４（１８）は、模型ホルダ１２（１６）に取り付けられる支持基台２０と、この支持基台２０に支持される固定用プレート２２とを有し、この固定用プレート２２に歯形模型２４が例えば接着剤により固定される。尚、この第１の実施形態では、歯形模型２４として例えば５つの歯形を有する部分タイプのものに適用している。
【００３４】
図５及び図６をも参照して支持基台２０について説明すると、図示の支持基台２０は支持基台本体２６を備え、この支持基台本体２６は、例えばポリエチレン樹脂やポリプロピレン樹脂などの合成樹脂から形成される。この支持基台本体２６は、横長に形成された基台側上壁２８と、この基台側上壁２８の外周部から下方に延びる基台側周側壁３０とを有している。この実施形態では、基台側上壁２８の上面（支持基台２０の上面を規定する部分）の全域は、図３から理解されるように、固定用プレート２２を支持するための支持領域３２として機能する。
【００３５】
この支持基台本体２６の支持領域３２（基台側上壁２８）には、その長手方向（図２及び図３において左右方向、図３において紙面に垂直な方向、図５及び図６において左下から右上の方向）に間隔を置いて５個の挿入孔３４が設けられている。また、基台側周側壁３０の内側に形成された内部空間２２には、各挿入孔３４に対応して基台側上壁２８の下面から下方に延びる筒状突出部３６が設けられ、各挿入孔３４は基台側上壁２８及び筒状突出部３６を貫通して設けられている（図３及び図４図４参照）。各挿入孔３４は、筒状突出部２４の上端部から下端部に向けて内径が漸減するテーパ状に形成されている。
【００３６】
また、基台側上壁２８の上面（即ち、支持領域３２）における片側側部（図２及び図５において下側の側部、図４において右側の側部）には、上方に突出する片側係合突条３８が設けられ、その他側側部には（図２及び図５において上側の側部、図４において左側の側部）には、上方に突出する他側係合突条４０が設けられている。片側係合突条２８及び他側係合突条４０は、相互に対向して配置され、支持基台本体２６の長手方向略全長にわたって設けられている。
【００３７】
この実施形態では、複数の挿入孔３４は、支持基台２０（支持基台本体２６）の上面、即ち支持領域３２の幅方向の中心線よりも他側、即ち他側係合突条４０側に配置されている。そして、このことに関連して、この支持基台２０の支持領域３２には、複数の挿入孔３４に対応して、複数の係合補助突条４２が設けられている。これら係合補助突条４２は、支持基台２０の片側係合突条３８の内側面（即ち、他側係合突条４０と対向する側面）から内側に対応する挿入孔３４に向けて延びる補助突条本体部４４と、この補助突条本体部４４の先端部から両側に分岐して延びる分岐補助突条部４６とを有している。
【００３８】
また、支持基台２０（支持基台本体２６）の片側係合突条２６Ａには、隣接する係合補助突条４２間に片側傾斜突部４８が設けられているとともに、両端側の係合補助突条４２の外側に外側傾斜突部５０が設けられている。片側傾斜突部４８及び外側傾斜突部５０は、片側係合突条３８の内側面から内側に延び、それらの上面は内側に向けて下方に傾斜して基台側上壁２８の上面まで延びている（図４参照）。また、支持基台２０（支持基台本体２６）の他側係合突条４０には、他側傾斜突部５２が設けられており、この他側傾斜突部５２は、他側係合突条４０の内側面から内側に延び、その上面は内側に向けて下方に傾斜して基台側上壁２８の上面まで延びている（図４参照）。
【００３９】
この形態では、片側傾斜突部４８にその長手方向に沿って間隔をおいて複数の片側係合凹部５４が設けられ、これら片側係合凹部５４は、支持基台本体２６の基台側上壁２８の上面まで延びている。また、他側傾斜突部５２においてはその長手方向に沿って間隔をおいて複数の他側係合凹部５６が設けられ、これら他側係合凹部５６は、片側係合凹部５４と同様に、支持基台本体２６の基台側上壁２８の上面まで延びている。
【００４０】
また、支持基台本体２６の基台側周側壁３０の外周面には、複数の挿入孔３４の各々に対応して位置決め用突部５８が設けられている。この位置決め用突部５８は、挿入孔３４を挟んでそれらの両側に設けられている。これらの位置決め用突部５８は、固定用プレート２２を形成する際に用いる成型用基枠（図示せず）を位置決めするための位置決め機能を有するとともに、歯科模型２４を切断する際のダウエルピン６０（図４参照）の配置位置を示すピン位置表示機能を有している。
【００４１】
次いで、図４を参照して、この支持基台２０の支持領域３２に支持される固定用プレート２２について説明する。図示の固定用プレート２２は、石膏から形成されたプレート本体６２を備え、このプレート本体６２は、支持基台本体２６の上壁２８（即ち、支持領域３２）の形状に対応した横長の形状を有している。固定用プレート２２には、支持基台本体２６の各挿入孔３４に対応してダウエルピン６０が植設されており（図４において、その一つを示す）、この固定用プレート本体６２の上面に接着剤などにより歯形模型２４が固定される。ダウエルピン６０は、各挿入孔３４が先細のテーパ状に形成されていることに対応して、その基端部から先端部に向けて外径が漸減するテーパ状に形成されている。
【００４２】
固定用プレート２２（即ち、プレート本体６２）の下面における片側側部には、支持基台２０側の片側係合突条３８に対応して片側係合凹条６４が設けられ、またその他側側部には、支持基台２０側の他側係合突条４０に対応して他側係合凹条６６が設けられている。また、この固定用プレート２２（プレート本体６２）の下面には、支持基台２０側の複数の係合補助突条４２に対応して複数の係合補助凹条６８が設けられている。各係合補助凹条６８は、明確に図示してないが、対応するダウエルピン６０に向けて延びる補助凹条本体部と、この補助凹条本体部の先端部から両側に分岐して延びる分岐補助凹条部とを有している。
【００４３】
この固定用プレート２２（プレ−ト本体６２）の下面には、更に、支持基台２０側の片側傾斜突部４８及び外側傾斜突部５０に対応して、片側傾斜凹部及び外側傾斜凹部が設けられるとともに、その他側傾斜突部５２に対応して他側傾斜凹部が設けられ、更にまた、支持基台２０側の片側傾斜突部４８に設けられた複数の片側係合凹部５４に対応して、固定用プレート２２の片側傾斜凹部に複数の片側係合突部（図示せず）が設けられるとともに、その他側傾斜突部５２に設けられた複数の他側係合凹部５６に対応して固定用プレート２２の他側傾斜凹部に複数の他側係合突部（図示せず）が設けられる。
【００４４】
この第１の実施形態では、支持基台２０の基台側上壁２８の中央部内面に基台側円筒状部７０が設けられ、この内面から下方に延びている。また、この基台側円筒状部７０の外周面には、上下方向に延びるロック係合突部７１が設けられている。更に、支持基台２０の基台側周側壁３０の両端部内面に一対の基台側内突部７２が設けられ、かかる基台側内突部７２は内側に突出している。尚、この実施形態では、基台側円筒状部７０を中空円筒状に形成しているが、このような構成に限定されず、中実円筒状に形成するようにしてもよい。
【００４５】
次に、図２〜図４及び図７を参照して模型ホルダ１２（１６）について説明すると、図示の模型ホルダ１２は、基台本体２０よりも少し大きいホルダ本体７４を備え、このホルダ本体７４は、支持基台本体２６と同様に、例えばポリエチレン樹脂やポリプロピレン樹脂などの合成樹脂から形成される。このホルダ本体７４は、支持基台２０の基台側周側壁３０の外形よりも少し大きいホルダ側上壁７６と、このホルダ側上壁７６の外周部から下方に延びるホルダ側周側壁７８とを有している。
【００４６】
この模型ホルダ１２（ホルダ本体７４）のホルダ側上壁７６には、支持基台２０の基台側円筒状部７０に対応して、ホルダ側中空円筒状部８０が設けられ、このホルダ側中空円筒状部８０はホルダ側上壁７６の上面から上方に延びている。支持基台２０を装着するときには、この模型ホルダ１２のホルダ側中空円筒状部８０内に支持基台２０の基台側円筒状部７０が挿入される（図４参照）。
【００４７】
この模型ホルダ１２（ホルダ本体７４）のホルダ側上壁７６の両端部には、支持基台２０側の一対の基台側内突部７２に対応して、外側に向けて突出する一対のホルダ側外突部８２が設けられている。各ホルダ側外突部８２は、上方に向けて外側に傾斜して延びる突部本体８４と、この突部本体８４の先端部から外側に向けて延びる押圧作用部８６とを備えており、この模型ホルダ１２に支持基台２０を所要の通りに装着した装着保持状態（図３及び図４に示す状態）においては、模型ホルダ１２側の一対のホルダ側外突部８２（具体的には、一対の押圧作用部８６）の下側に支持基台２０側の対応する基台側内突部７２が位置付けられる。
【００４８】
この実施形態では、更に、支持基台２０側のロック係合突部７１に関連して、模型ホルダ１２のホルダ側中空円筒状部８０の内周面に挿入凹部８８及びロック係合凹部９０が設けられている。この挿入凹部８８は、周方向に所定範囲にわたって延び、支持基台２０の基台側円筒状部７０を模型ホルダ１２のホルダ側中空円筒状部８０に挿入する際に、この基台側円筒状部７０のロック係合突部７１がホルダ側中空円筒状部８０の挿入凹部８８内に挿入される。また、ロック係合凹部９０は、装着方向において挿入凹部８８の下流側に設けられ、装着保持状態まで回動すると、支持基台２０側のロック係合突部７１が模型ホルダ１２側のロック係合凹部９０に係脱自在に係合され、このように構成されるので、ロック係合突部７１及びロック係合凹部９０は、支持基台２０をロック保持するためのロック保持手段として機能する。
【００４９】
このような構成に関連して、更に、ホルダ側中空円筒状部８０の内面部位９２（具体的には、挿入凹部８８とロック係合凹部９０との間の部位）が基台側円筒状部７０のロック係合突部７１に幾分作用するように構成するのが好ましく、このように構成することにより、ホルダ側中空円筒状部８０と基台側円筒状部７０とを装着させた状態にて装着方向に回動させた際に少しの抵抗が生じ、これにより、支持基台２０の回動操作感を得ることができるとともに、支持装着保持状態まで回動させてロック係合突部７１とロック係合凹部９０とが係合したときにロック感を得ることができる。
【００５０】
次に、上述した咬合器２における模型ホルダ１２への歯科用作業模型１４（支持基台２０）の取付けについて説明する。歯科用作業模型１４を取り付けるには、まず、模型ホルダ１２の上方からそのホルダ側中空円筒状部８０内に歯科用作業模型１４（支持基台２０）側の基台側円筒状部７０を挿入する。かく挿入すると、図３及び図４から理解されるように、支持基台２０側の基台側円筒状部８０がホルダ側中空円筒状部８０内に回動自在に挿入され、支持基台２０の周側壁３０が模型ホルダ１２のホルダ側上壁７６に載置支持される。
【００５１】
そして、この装着状態において、歯科用作業模型１４（支持基台２０）を装着方向に回動させて装着保持状態にする。かく装着保持状態にすると、図３及び図４に示すように、支持基台２０側の一対の基台側内突部７２が模型ホルダ１２側の対応するホルダ側外突部８２（具体的には、押圧作用部８６）の下側に位置し、このホルダ側外突部８２によって一対の基台側内突部７２（換言すると、支持基台２０）が下方に向けて押圧され、かくして、支持基台２０（即ち、歯科用作業模型１４）を模型ホルダ１２のホルダ側上壁７６の上面に確実に押圧保持することができる。
【００５２】
このようにこの保持機構を採用すると、歯科用作業模型１４（支持基台２０）を模型ホルダ１２に装着し、この装着状態において所定装着方向に回動することにより、この模型ホルダ１２に確実に取り付けることができ、その取付操作は片手で簡単に行うことができ、模型ホルダ１２への取付け作業効率を高めることができる。
【００５３】
この第１の実施形態では、支持基台１２側に基台側円筒状部７０を設け、模型ホルダ１２側にホルダ側中空円筒状部８０を設けているが、これとは反対に、支持基台１２側に基台側中空円筒状部を設け、模型ホルダ１２側にホルダ側円筒状部を設け、このホルダ側円筒状部を基台側中空円筒状部に挿入するようにしてもよい。
【００５４】
また、この第１の実施形態では、支持基台１２側に２つの基台側内突部７２を設け、模型ホルダ１２側に２つのホルダ側外突部８２を設けているが、これら基台側内突部７２及びホルダ側外突部８２を３つ以上設けるようにしてもよい。
【００５５】
〈第２の実施形態〉
次に、図８〜図１２を参照して、歯科用作業模型の保持機構の第２の実施形態を備えた咬合器の一例について説明する。上述の第１の実施形態では、歯科用作業模型として部分タイプのものに適用して説明したが、この第２の実施形態のものでは全顎タイプのものに適用している。尚、以下の実施形態において、上述した第１実施形態と実質上同一のものには同一の番号を付し、その説明を省略する。
【００５６】
図８において、図示の咬合器２Ａは、相互に回動自在に装着された下取付枠４Ａ及び上取付枠６Ａを備え、この下取付枠４Ａに下側の模型ホルダ取付体８Ａが取り付けられ、上取付枠６Ａに上側の模型ホルダ取付体１０Ａが取り付けられる。そして、下側の模型ホルダ取付体８Ａに下側の全顎タイプの模型ホルダ１２Ａが取り付けられ、この下側の模型ホルダ１２Ａに下側の全顎タイプの歯科用作業模型１４Ａが後述する如く取り付けられる。また、上側の模型ホルダ取付体１０Ａには上側の全顎タイプの模型ホルダ１６Ａが取り付けられ、この上側の全顎タイプの模型ホルダ１６Ａに上側の全顎タイプの歯科用作業模型１８Ａが取り付けられる。
【００５７】
図９〜図１２をも参照して、図示の歯科用作業模型１４Ａ（１８Ａ）は、模型ホルダ１２Ａ（１６Ａ）に取り付けられる支持基台２０Ａと、この支持基台２０Ａに支持される固定用プレート２２Ａとを有し、この固定用プレート２２Ａに全顎タイプの歯形模型２４Ａが例えば接着剤により固定される。
【００５８】
図示の支持基台２０Ａは略Ｕ字状の支持基台本体２６Ａを備え、この支持基台本体２６Ａの上端部に基台側上壁２８Ａが設けられ、かかる基台側上壁２８Ａが略Ｕ字状の弧状に延び、この基台側上壁２８Ａの上面が支持領域３２Ａとして機能する。基台側上壁２８Ａの外周部から基台側周側壁３０Ａが下方に延び、この基台側周側壁３０Ａの内側壁部１０２が接続壁部１０４により接続されている。
【００５９】
この支持基台２０Ａにおいては、基台側上壁２８Ａ（支持領域３２Ａ）が略Ｕ字状であることに関連して、その片側側部（内側側部）に設けられる片側係合突条３８Ａ（内側係合突条）は略Ｕ字状の弧状に延び、またその他側側部（外側側部）に設けられる他側係合突条４０Ａ（外側係合突条）も略Ｕ字状の弧状に延びている。また、支持基台２０Ａ（支持基台本体２６Ａ）の複数の挿入孔３４は、支持基台２０Ａ（支持基台本体２６Ａ）の基台側上壁２８Ａの上面、即ち支持領域３２Ａの幅方向の中心よりも他側（外側）、即ち他側係合突条４０Ａ側に配置されている。
【００６０】
また、支持基台２０Ａの片側係合突条３８Ａの内側面には、複数の挿入孔３４のそれぞれに対応して係合補助突条４２Ａが設けられ、各係合補助突条４２Ａは、対応する挿入孔３４に向けて直線状に延びている。この形態では、全顎タイプの歯形模型に適用するものであるために、挿入孔３４（換言すると、用いるダウエルピン）はこの支持領域３２Ａに沿って１４個設けられている。
【００６１】
この支持基台２０Ａ（支持基台本体２６Ａ）においては、上述の第１の実施形態と略同様に、その片側側部（内側側部）に設けられた片側係合突条３８Ａ（内側係合突条）に、隣接する係合補助突条４２Ａ間に片側傾斜突部４８Ａが設けられているとともに、両端側の係合補助突条４２Ａの外側に外側傾斜突部５０Ａが設けられている。また、支持基台２０Ａ（支持基台本体２６Ａ）の他側側部（外側側部）に設けられた他側係合突条４０Ａ（外側係合突条）に他側傾斜突部５２Ａが設けられ、この他側傾斜突部５２Ａは、他側係合突条の一端側から他端側までほぼ全長にわたって設けられている。更に、片側傾斜突部４８Ａには、間隔をおいて複数の片側係合凹部５４Ａが設けられ、他側傾斜突部５２Ａには、間隔をおいて複数の他側係合凹部５６Ａが設けられている。
【００６２】
この支持基台２０Ａの支持領域３２Ａに載置支持される固定用プレート（図示せず）の下面は、図示していないが、次の通りの構成となる。即ち、固定用プレートは、支持基台２０Ａ（支持基台本体２６Ａ）の支持領域３２Ａの形状に対応して略Ｕ字状に形成され、この支持領域３２Ａに沿って複数のダウエルピンが設けられ、これらダウエルピンは、支持基台２０Ａ側の対応する挿入孔３４に挿入される。
【００６３】
また、支持基台２０Ａ（支持基台本体２６Ａ）の片側係合突条３８Ａに対応して固定用プレート（プレート本体）の片側側部に片側係合凹条（内側係合凹条）が設けられ、その他側係合突条４０Ａに対応して固定用プレートの他側側部に他側係合凹条（他側係合凹条）が設けられる。更に、支持基台２０Ａの片側傾斜突部４８Ａ及び外側傾斜突部５０Ａに対応して、固定用プレートの片側側部（内側側部）に片側傾斜凹部及び外側傾斜凹部が設けられるとともに、その他側傾斜突部４０Ａに対応して、固定用プレートの他側側部（外側側部）に他側傾斜凹部が設けられる。更にまた、支持基台２０Ａの片側傾斜突部４８Ａに設けられた複数の片側係合凹部５４Ａに対応して、固定用プレートの片側傾斜凹部に複数の片側係合突部が設けられるとともに、その他側傾斜突部５２Ａに設けられた複数の他側係合凹部５６Ａに対応して固定用プレートの他側傾斜凹部に複数の他側係合突部が設けられる。
【００６４】
この第２の実施形態では、支持基台２０Ａ（支持基台本体２６Ａ）の接続壁部１０４の下面に基台側中空円筒状部１１２が設けられ、この基台側中空円筒状部１１２は下方に延びている（尚、図１１においては、支持基台２０Ａの形状を一部省略して示している）。また、基台側中空円筒状部１１２の内周面には、内側に向けて突出する一対の基台側内突部１１４（図１０において２つ示し、図１１において１つ示す）が設けられ、これら基台側内突部１１４は、基台側中空円筒状部１１２の内周面に沿って装着方向に延びている。更に、この基台側中空円筒状部１１２の各基台側内突部の一端部（具体的には、装着方向に見て下流端部）には、上側の接続壁部１０４に向けて突出する当接部１１６が設けられている。
【００６５】
尚、この支持基台本体２６Ａの接続壁部１０４の適宜の部位に一対の矩形状開口１１８，１２０及び円形状開口１２２が設けられ、これら矩形状開口１１８，１２０及び円形状開口１２２を通して下側を見ることができ、これら開口１１８，１２０，１２２を利用することにより、支持基台２０Ａの模型ホルダ１２Ａへの装着が容易となる。
【００６６】
次に、模型ホルダ１２Ａ（１６Ａ）について説明すると、図示の模型ホルダ１２Ａは、基台本体２０Ａよりも少し大きいホルダ本体７４Ａを備え、このホルダ本体７４Ａは、支持基台本体２６Ａと同様に、例えばポリエチレン樹脂やポリプロピレン樹脂などの合成樹脂から形成される。このホルダ本体７４Ａは、支持基台２０Ａ（支持基台本体２６Ａ）の外形よりも少し大きいホルダ側上壁７６Ａと、このホルダ側上壁７６Ａの外周部から下方に延びるホルダ側周側壁７８Ａとを有している。
【００６７】
この模型ホルダ１２Ａ（ホルダ本体７４Ａ）のホルダ側上壁７６Ａには、支持基台２０Ａ側の基台側中空１１２に対応して、ホルダ側円筒状部１２４が設けられ、このホルダ側円筒状部１２４はホルダ側上壁７６Ａの上面から上方に延びている。支持基台２０Ａを装着するときには、この模型ホルダ１２Ａのホルダ側円筒状部１２４が支持基台２０Ａの基台側中空円筒状部１１２内に挿入されるように装着される（図１０参照）。尚、この形態では、模型ホルダ１２Ａのホルダ側円筒状部１２４が中空状に形成されているが、中実状に形成するようにしてもよい。
【００６８】
この模型ホルダ１２Ａのホルダ側円筒状部１２４の外周面には、支持基台２０Ａ側の一対の基台側内突部１１４に対応して、外側に向けて突出する一対のホルダ側外突部１２６が設けられており、この模型ホルダ１２Ａに支持基台２０Ａを所要の通りに装着した装着保持状態（図１０に示す状態）においては、模型ホルダ１２Ａ側の一対のホルダ側外突部１２６の下側に支持基台２０側の対応する基台側内突部１１４が位置付けられる。
【００６９】
このような構成に関連して、更に、基台本体２０Ａ側の一対の基台側内突部１１４の上面（ホルダ側外突部１２６が作用する面）は、装着方向上流側に向けて幾分上方に傾斜して延びているのが好ましく、このように構成することにより、ホルダ側円筒状部１２４と基台側中空円筒状部１１２とを装着させた状態にて装着方向に回動させた際に少しの抵抗が生じるとともに、装着保持状態まで回動させたときに支持基台２０Ａを模型ホルダ１２Ａのホルダ側上壁７６Ａの上面に押圧保持することができる。尚、上述した構成に代えて、ホルダ本体７４Ａ側の一対のホルダ側外突部１２６の下面（基台側内突部１１４に作用する面）を、装着方向下流側に向けて幾分下方に傾斜して延びるように構成しても同様の作用効果を得ることができる。この第２の実施形態におけるその他の構成は、上述の第１の実施形態と実質上同一である。
【００７０】
次に、上述した咬合器２Ａにおける模型ホルダ１２Ａへの歯科用作業模型１４Ａ（支持基台２０Ａ）の取付けについて説明する。歯科用作業模型１４Ａを取り付けるには、まず、模型ホルダ１２Ａの上方からそのホルダ側円筒状部１１２の外周側に歯科用作業模型１４Ａ（支持基台２０Ａ）側の基台側中空円筒状部１１２が位置するように装着する。かく挿装着すると、図１０から理解されるように、支持基台２０Ａ側の基台側中空円筒状部１１２と模型ホルダ１２Ａ側のホルダ側円筒状部１２４とが回動自在に装着され（一対の基台側内突部１１４がホルダ側円筒状部１２４の外周面に沿って相対的に回動され、また一対のホルダ側外突部１２６が基台側中空円筒状部１１２の内周面に沿って相対的に回動される）、支持基台２０Ａの周側壁３０Ａ及び基台側中空円筒状部１１２が模型ホルダ１２Ａのホルダ側上壁７６Ａに載置支持される。
【００７１】
そして、この装着状態において、歯科用作業模型１４Ａ（支持基台２０Ａ）を装着方向に回動させて装着保持状態にする。かく装着保持状態にすると、図１０に示すように、支持基台２０Ａ側の一対の基台側内突部１１４が模型ホルダ１２Ａ側の対応するホルダ側外突部１２６の下側に位置し、このホルダ側外突部１２６によって一対の基台側内突部１１４（換言すると、支持基台２０Ａ）が下方に向けて押圧され、かくして、支持基台２０Ａ（即ち、歯科用作業模型１４Ａ）を模型ホルダ１２Ａのホルダ側上壁７６Ａの上面に確実に押圧保持することができる。
【００７２】
また、このように装着保持状態まで回動させると、支持基台２０Ａ側の基台側内突部１１４に設けられた当接部１１６が模型ホルダ１２Ａ側の一対のホルダ側外突部１２６に当接し、この装着保持状態、即ち装着角度位置（図９及び図１０に示す角度位置）を越える回動が阻止され、これにより、この支持基台２０Ａ（即ち、歯科用作業模型１４Ａ）をこの装着保持状態に確実に保持することができる。
【００７３】
この第２の実施形態においても、歯科用作業模型１４Ａ（支持基台２０Ａ）を模型ホルダ１２Ａに装着し、この装着状態において所定装着方向に回動することにより、この模型ホルダ１２Ａに確実に取り付けることができ、その取付操作は片手で簡単に行うことができ、模型ホルダ１２Ａへの取付け作業効率を高めることができる。
【００７４】
この第２の実施形態では、支持基台２０Ａを装着保持状態に位置付けるための当接部１１６を一対の基台側内突部１１４の一端部に設けているが、このような構成に代えて、一対のホルダ側外突部１２６の一端部（具体的には、装着方向に見て上流側端部）にこの当接部を設けるようにしてもよく、この場合、この当接部は、ホルダ側外突部１２６から下側にホルダ側上壁７６Ａに向けて突出し、支持基台２０Ａ側の基台側内突部１１４がこの当接部に当接する。
【００７５】
この第２の実施形態では、支持基台１２Ａ側に基台側中空円筒状部１１４を設け、模型ホルダ１２Ａ側にホルダ側円筒状部１２４を設けているが、このような構成に代えて、図１３に示すように構成することもできる。
【００７６】
歯科用作業模型の保持機構の変形形態を示す図１３において、この変形形態においては、支持基台２０Ｂ側に基台側円筒状部１３２が設けられ、模型ホルダ１２Ａ（ホルダ本体７４Ｂ）側にホルダ側中空円筒状部１３４が設けられ、このホルダ側中空円筒状部１３４の内側に基台側円筒状部１３２が挿入される。また、このことに関連して、基台側円筒状部１３２の外周面には、外側に向けて突出する一対の基台側外突部１３６が設けられ、ホルダ側中空円筒状部１３４の内周面には、内側に向けて突出する一対のホルダ側内突部１３８が設けられる。また、この場合、支持基台２０Ｂ（即ち、歯科用作業模型）を装着保持状態に保持するための当接部（図示せず）は、基台側円筒状部１３２の一対の基台側外突部１３６の一端部に上側の接続壁部１０４に向けて突出するように、或いはホルダ側中空円筒状部１３４の一対のホルダ側内突部１３８の一端部に下側のホルダ側上壁７６Ｂに向けて突出するように設けられる。この他の実施形態のその他の構成は、上述した第２の実施形態と実質上同一である。
【００７７】
この変形形態においては、模型ホルダ１２Ｂの上方からそのホルダ側中空円筒状部１３４内に支持基台２０Ｂ側の基台側円筒状部１３２を挿入するように、この支持基台２０Ｂが装着される。かく挿装着すると、図１３から理解されるように、支持基台２０Ｂ側の基台側円筒状部１３２と模型ホルダ１２Ｂ側のホルダ側中空円筒状部１３４とが回動自在に装着され（一対の基台側外突部１３６がホルダ側中空円筒状部１２４の内周面に沿って回動し、一対のホルダ側内突部１３８が基台側円筒状部１３２の外周面に沿って回動される）、支持基台２０Ｂの周側壁３０Ｂが模型ホルダ１２Ｂのホルダ側上壁７６Ｂに載置支持される。
【００７８】
そして、この装着状態において、支持基台２０Ｂを装着方向に回動させて装着保持状態にすると、図１３に示すように、支持基台２０Ｂ側の一対の基台側外突部１３６が模型ホルダ１２Ｂ側の対応するホルダ側内突部１３８の下側に位置し、このホルダ側内突部１３８によって一対の基台側外突部１３６（換言すると、支持基台２０Ｂ）が下方に向けて押圧され、かくして、支持基台２０Ｂを模型ホルダ１２Ｂのホルダ側上壁７６Ｂの上面に確実に押圧保持することができる。
【００７９】
この第２の実施形態（又はこの変形形態）では、支持基台１２Ａ側に２つの基台側内突部１１４（又は基台側外突部１３６）を設け、模型ホルダ１２側に２つのホルダ側外突部１２６（又はホルダ側内突部１３８）を設けているが、これら基台側内突部１１４（又は基台側外突部１３６）及びホルダ側外突部１２６（又はホルダ側内突部１３８）を周方向に間隔をおいて３つ以上設けるようにしてもよい。
【００８０】
以上、本発明に従う歯科用作業模型の保持機構の各種形態について説明したが、本発明はこれら形態に限定されるものではなく、本発明の範囲を逸脱することなく種々の変更乃至修正が可能である。
【００８１】
２，２Ａ  咬合器
１２，１２Ａ，１２Ｂ，１６，１６Ａ  模型ホルダ
１４，１４Ａ，１８，１８Ａ  歯科用作業模型
２０，２０Ａ，２０Ｂ  支持基台
２２  固定プレート
２８，２８Ａ，２８Ｂ  基台側上壁
３０，３０Ａ，３０Ｂ  基台側周側壁
６０  ダウエルピン
７０，１３２  基台側円筒状部
７２、１１４  基台側内突部
７６，７６Ａ，７６Ｂ  ホルダ側上壁
７８，７８Ａ，７８Ｂ  ホルダ側周側壁
８０，１３４  ホルダ側中空円筒状部
８２，１２６  ホルダ側外突部
１３６  基台側外突部
１３８  ホルダ側外突部
【図１】
2019097734.tif 000003
【図２】
2019097734.tif 000004
【図３】
2019097734.tif 000005
【図４】
2019097734.tif 000006
【図５】
2019097734.tif 000007
【図６】
2019097734.tif 000008
【図７】
2019097734.tif 000009
【図８】
2019097734.tif 000010
【図９】
2019097734.tif 000011
【図１０】
2019097734.tif 000012
【図１１】
2019097734.tif 000013
【図１２】
2019097734.tif 000014
【図１３】
2019097734.tif 000015